(57)【要約】【課題】  この発明は、取り付けたシーツが不測に取り外れることがなく、しっかりと取り付けることができるペット用トイレの提供を目的とする。【解決手段】  シーツを載置するトイレ本体１１と、該トイレ本体１１に載せたシーツを上方から押さえ付けて固定する押え枠３１と、該押え枠３１を上記トイレ本体１１に係合することにより固定する固定具２１とを備えて構成したペット用トイレ１０であって、上記固定具２１を、上記押え枠３１の外周縁部に枢着し、上記トイレ本体１１の外周縁部における上記固定具２１に対応する位置に、上記トイレ本体１１に対する上記押え枠３１の回動軸となる軸部１４を形成し、上記固定具２１に、上記軸部１４を回動可能に受ける軸受け部２４を形成した。【選択図】図１
2011193879.tif 000002
【特許請求の範囲】
【請求項１】
シーツを載置するトイレ本体と、該トイレ本体に載せたシーツを上方から押さえ付けて固定する押え枠と、該押え枠を上記トイレ本体に係合することにより固定する固定具とを備えて構成したペット用トイレであって、
上記固定具を、上記押え枠の外周縁部に枢着し、
上記トイレ本体の外周縁部における上記固定具に対応する位置に、上記トイレ本体に対する上記押え枠の回動軸となる軸部を形成し、
上記固定具に、上記軸部を回動可能に受ける軸受け部を形成した
ペット用トイレ。
【請求項２】
シーツを押える押え網を備え、
上記押え枠の下側から上記押え網を取り外し可能に固定する押え網固定手段を、上記押え枠の下側に形成した
請求項１に記載のペット用トイレ。
【請求項３】
上記押え枠の外周縁部における上記軸部を間に挟んで上記固定具と対向する対向位置に、上記押え枠の外周縁部の上部から下方へ向けて突出する固定具係合片を形成し、
上記固定具係合片の下部に、上記固定具に形成した係合部と係合可能な被係合部を形成し、
上記軸受け部は、上記軸部を着脱可能に上記固定具係合片に向けて開放された軸受け形態で形成し、
上記固定具係合片における上記固定具との対向部分に、上記軸部に向けて突出するリブを形成した
請求項１、又は、２に記載のペット用トイレ。
【請求項４】
上記軸部を、上記軸受け部により受けられる細軸部と該細軸部よりも大径である大軸部とで構成し、
上記固定具係合片における上記大軸部との対向部分に、上記トイレ本体に対して上記押え枠が上記軸部を中心に回動するに伴って上記大軸部に支持されながら回動する支持部を形成し、
上記リブを、
上記細軸部との間隔が、上記大軸部と上記支持部との間隔と同じになる突出量で上記細軸部に向けて突出させて形成した
請求項３に記載のペット用トイレ。
【請求項５】
上記固定具における上記押え枠に対して枢着した枢着軸の軸周り部分を、多角形状で形成し、
多角形状の軸周り部分の各面を受ける軸周り受け部を上記押え枠に形成した
請求項３、又は、４に記載のペット用トイレ。
【請求項６】
上記固定具を、上記押え枠の外周縁部において対向する長辺状端辺部のそれぞれに枢着した
請求項１から５のいずれかに記載のペット用トイレ。
【請求項７】
上記トイレ本体の下部を、該トイレ本体の底面から上方へ進むに連れ、上記底面に対して平面視外側へ広がる形状で形成した
請求項１から６のいずれかに記載のペット用トイレ。
【発明の詳細な説明】
【技術分野】
【０００１】
この発明は、例えば、犬や猫などのペットが使用するペット用トイレに関し、より詳しくは、シーツを敷設して使用するペット用トイレに関する。
【背景技術】
【０００２】
この種のペット用トイレは、従来よりトイレ本体にシーツを載置し、さらに上方から押え枠でシーツを押えて用いるものが多数普及している。
【０００３】
しかし、シーツを押え枠で押えるだけで固定した場合、シーツを挟む力が弱くなり、ペットがシーツを引っ掻くなどした場合にシーツが外れることがあった。
【０００４】
特許文献１において、このような課題に対してなされたペット用トイレが提案されている。  
上蓋とトレイのシートを押える上ぶた（押え枠）でシートを固定するのに加え、トレイ（トレイ本体）に枢着した係合フックを押え枠に引っ掛けることにより、シーツを、単に、上ぶた（押え枠）で押し付けるよりも上ぶたとトレイとで強固にシーツを挟み込んで固定するものである。
【０００５】
しかし、特許文献１のペット用トイレは、トレイに枢着した係合フックをトレイよりも上方に有する上ぶたに係合する構成であるため、係合フックの係合部分がペット用トイレの外周側上端部分に位置することになる。このペット用トイレの外周側上端部分は、ペットが日常的に噛んだり引っ掻いたりし易い部分となるため、係合フックの係合が不測に外れるおそれがあった。
【先行技術文献】
【特許文献】
【０００６】
【特許文献１】特開２００６−１６６８８８号公報
【発明の概要】
【発明が解決しようとする課題】
【０００７】
そこでこの発明は、取り付けたシーツが不測に取り外れることがなく、しっかりと取り付けることができるペット用トイレの提供を目的とする。
【課題を解決するための手段】
【０００８】
本発明は、シーツを載置するトイレ本体と、該トイレ本体に載せたシーツを上方から押さえ付けて固定する押え枠と、該押え枠を上記トイレ本体に係合することにより固定する固定具とを備えて構成したペット用トイレであって、上記固定具を、上記押え枠の外周縁部に枢着し、上記トイレ本体の外周縁部における上記固定具に対応する位置に、上記トイレ本体に対する上記押え枠の回動軸となる軸部を形成し、上記固定具に、上記軸部を回動可能に受ける軸受け部を形成したことを特徴とする。
【０００９】
上記構成によれば、上記固定具を、上記押え枠の外周縁部に枢着したため、ペット用トイレの下側部分に係合させて押え枠とトイレ本体とを固定することができる。このため、ペットが噛んだり引っ掻いたりし易いペット用トイレの外周端部の上側においては、固定具の係合部分が存在しない構成とすることができ、該外周端部の上側をペットが噛んだり引っ掻くなどしてもペット用トイレの係合が不測に解除され、取り付けたシーツが不測に取り外れることがなく、しっかりと取り付けることができる。
【００１０】
この発明の態様としてシーツを押える押え網を備え、上記押え枠の下側から上記押え網を取り外し可能に固定する押え網固定手段を、上記押え枠の下側に形成
することができる。
【００１１】
上記構成によれば、上記押え網を備えているため、ペットが押え網の上からシーツを爪で引っ掻いたり、噛んだりしても、取り付けたシーツが破れないよう保護することができる。
【００１２】
上記押え網は、上記押え網固定手段により上記押え枠に固定されているため、シーツが取り外れないよう、しっかりと取り付けることができる。さらに、シーツ交換の際に、上記押え枠とともに、上記押え網も一体でトイレ本体から取り外すことができる。
【００１３】
このため、本発明のペット用トイレは、シーツ交換の際に、従来のように、上記押え枠と上記押え網とを別々に取り付けたり取り外したりする手間を要さず、シーツ交換を容易に行うことができる。
【００１４】
またこの発明の態様として上記押え枠の外周縁部における上記軸部を間に挟んで上記固定具と対向する対向位置に、上記押え枠の外周縁部の上部から下方へ向けて突出する固定具係合片を形成し、上記固定具係合片の下部に、上記固定具に形成した係合部と係合可能な被係合部を形成し、上記軸受け部は、上記軸部を着脱可能に上記固定具係合片に向けて開放された軸受け形態で形成し、上記固定具係合片における上記固定具との対向部分に、上記軸部に向けて突出するリブを形成することができる。
【００１５】
上記構成によれば、上記固定具係合片における上記固定具との対向部分に、上記軸部に向けて突出するようリブを形成することにより、軸部が軸受け部に軸受けされた状態に保たれるよう規制することができる。
【００１６】
よって、上記押え枠をトイレ本体に対して回動させる際に、回動中心となる軸部が不測にガタつくことがなく、上記押え枠をトイレ本体に対して安定して回動させることができる。従って、シーツ交換を容易に行うことができる。
【００１７】
詳しくは、上記固定具に形成した軸受け部は、軸部を回動可能に受けているが、軸部を着脱可能に上記固定具係合片に向けて開放された軸受け形態で形成されている。これにより、軸受け部に対して軸部を適宜、分離することにより、押え枠をトイレ本体に対して取り外すことができる。
【００１８】
しかし、その一方で上記押え枠をトイレ本体に対して回動させる際に、軸受け部に対して軸部が不測に離れた場合、軸受け部と固定具係合片との間に有する空間内を軸部が不測に動くことになる。
【００１９】
これにより、上記押え枠をトイレ本体に対して上記軸部を回動中心として回動させようとしたとき、上記押え枠がガタつくため、安定したスムーズな回動を実現することができない。
【００２０】
これに対して、本発明のペット用トイレでは、上記固定具係合片における上記固定具との対向部分に、上記軸部に向けて突出するリブを形成することにより、軸部が軸受け部から離れないよう軸部を規制することができる。
【００２１】
よって、上記押え枠をトイレ本体に対して上記軸部を回動させる際に、軸部が不測にガタつくことがなく、安定した回動を実現できる。
【００２２】
またこの発明の態様として上記軸部を、上記軸受け部により受けられる細軸部と該細軸部よりも大径である大軸部とで構成し、上記固定具係合片における上記大軸部との対向部分に、上記トイレ本体に対して上記押え枠が上記軸部を中心に回動するに伴って上記大軸部に支持されながら回動する支持部を形成し、上記リブを、上記細軸部との間隔が、上記大軸部と上記支持部との間隔と同じになる突出量で上記細軸部に向けて突出させて形成することができる。
【００２３】
上記構成により、上記押え枠を上記トイレ本体に対して回動させる際に、係合部と被係合部との係合が解除され、トイレ本体に対して押え枠が外れてしまうことを阻止することができる。
【００２４】
よって、上記押え枠を上記トイレ本体に対してスムーズに安定して回動させることができ、シーツ交換を容易に行うことができる。
【００２５】
詳しくは、支持部は、大軸部に支持された状態で大軸部回りを回動する。このため、上記固定具係合片の長さ方向の全体が軸部に当接する場合と比較して接触抵抗を低減できるため、上記押え枠をトイレ本体に対してスムーズに回動させることができる。
【００２６】
また、上記押え枠を回動させる間、大軸部に当接する支持部が押え枠を支持する。これにより、大軸部には、支持部を介して押え枠の自重（重力）が加わることになる。
【００２７】
しかし、上記押え枠を上記トイレ本体に対して回動させるに従って、支持部は、上記押え枠の自重が加わる鉛直方向に対して傾いた状態となり、ダイレクトに押え枠を支持することが困難となる。
【００２８】
このため、大軸部は、支持部を介して押え枠の自重が加わることにより固定具係合片へ向けて開放された開放空間へ押し出される力を受けることになる。
【００２９】
よって、この力により係合部と被係合部との係合が不測に解除され、押え枠をトイレ本体に対して回動させる際に、押え枠がトイレ本体から取り外れてしまうという難点を有していた。
【００３０】
これに対して、本発明では、上記リブを、上記細軸部との間隔が、上記大軸部と上記支持部との間隔と同じになる突出量で上記細軸部に向けて突出させて形成することにより、上記押え枠を上記トイレ本体に対して回動させる際に、リブが細径部に当接することで支持部が大軸部を過度に押圧され、軸受け部から離間することで係合部と被係合部との係合が解除され、トイレ本体に対して押え枠が外れてしまうことを阻止することができる。
【００３１】
よって、上記押え枠を上記トイレ本体に対してスムーズ、且つ、安定して回動させることができ、シーツ交換を容易に行うことができる。
【００３２】
またこの発明の態様として上記固定具における上記押え枠に対して枢着した上記枢着軸の軸周り部分を、多角形状で形成し、多角形状の軸周り部分の各面を受ける軸周り受け部を上記押え枠に形成することができる。
【００３３】
上記固定具の上記枢着軸の軸周り部分は、多角形状で形成しているため、その多角形状の軸周り部分のいずれかの面を軸周り受け部で受けることにより、固定具の枢動範囲において、固定具を段階的に位置決めすることができる。
【００３４】
またこの発明の態様として上記固定具を、上記押え枠の外周縁部において対向する長辺状端辺部のそれぞれに枢着することができる。
【００３５】
上記構成によれば、上記固定具を、対向する長辺状端辺部のそれぞれに枢着しているため、対向するいずれか一方の長辺状端辺部に枢着する場合と比較してより強固に押え枠をトイレ本体に対して係合により固定することができる。
【００３６】
またこの発明の態様として上記トイレ本体の下部を、該トイレ本体の底面から上方へ進むに連れ、上記底面に対して平面視外側へ広がる形状で形成することができる。
【００３７】
ペット用トイレを、ペット用ケージやペット用サークルの床面に載置されることが多い底浅の受け皿として形成したペット用トレーの底面に載置する場合でも、ペット用トレーの側壁面とペット用トイレの外周縁部との間に不要な隙間が構成されることなく載置することができる。
【００３８】
詳しくは、ペット用トレーは、一般に金型の抜き勾配などの成形性、或いは、利便性などの観点で、側壁面が底面に対して直角、又は、平面視外側へ広がる形状に傾斜した底浅の樹脂成形品であるものが一般的である。
【００３９】
このため、上記トイレ本体の下部を、該トイレ本体の底面から上方へ進むに連れ、上記底面に対して平面視外側へ広がる形状で形成することにより、ペット用トレーの側壁面の形状と略一致させることができ、ペット用トレーにペット用トイレを重ね合わせるように載置したとき、平面視するとペット用トイレの外周縁部とペット用トレーの側壁面との間に不要な隙間なく設置できる。このため、設置スペースを有効に利用できるとともに、ペット用トレーに尿が流入しないようペット用トイレによって確実に尿を受けることができる。
【発明の効果】
【００４０】
本発明では、取り付けたシーツが不測に取り外れることがなく、しっかりと取り付けることができるペット用トイレを提供することができる。
【図面の簡単な説明】
【００４１】
【図１】本実施形態のペット用トイレの外観図。
【図２】本実施形態のペット用トイレの平面図。
【図３】本実施形態のペット用トイレの構成説明図。
【図４】本実施形態のペット用トイレの構成説明図。
【図５】本実施形態のペット用トイレの底面図。
【図６】本実施形態のトイレ本体の構成説明図。
【図７】本実施形態の固定具の構成説明図。
【図８】本実施形態の押え枠の構成説明図。
【図９】本実施形態の押え網の底面図。
【図１０】本実施形態の押え網の構成説明図。
【図１１】押え枠と押え網との取り付け構造の説明図。
【図１２】固定具の枢動範囲における位置決めの様子を示す説明図。
【図１３】本実施形態のペット用トイレの作用説明図。
【図１４】他の実施形態のペット用トイレの作用説明図。
【図１５】従来のペット用トイレの説明図。
【図１６】従来のペット用トイレの説明図。
【発明を実施するための形態】
【００４２】
この発明の一実施形態を、以下図面を用いて説明する。  
本実施形態におけるペット用トイレ１０は、図１から図５に示すように構成している。  
なお、図１は、ペット用トイレ１０の外観図であり、図２は、ペット用トイレ１０の平面図である。図３（ａ）は、ペット用トイレ１０の右側面図、図３（ｂ）は、一部拡大して示した図２中のＥ−Ｅ線端面図である。図４（ａ）は、ペット用トイレ１０の正面図であり、図４（ｂ），（ｃ），（ｄ），（ｅ）は、図２中のそれぞれＡ−Ａ線拡大端面図、Ｂ−Ｂ線拡大端面図、Ｃ−Ｃ線拡大端面図、Ｄ−Ｄ線拡大端面図である。図５は、ペット用トイレ１０の底面図である。
【００４３】
ペット用トイレ１０は、図１に示したように、角部分を湾曲させた長方形板状に形成され、シーツ（図示せず）を載置するトイレ本体１１と、該トイレ本体１１に載せたシーツを上方から押さえ付けて固定する押え枠３１と、押え枠３１の中央側でシーツを押える押え網４１と、押え枠３１をトイレ本体１１に係合することにより固定する固定具２１とで構成している。
【００４４】
図６に示すように、トイレ本体１１は、外周縁部に周壁１１ａを有する皿状で、中央部分には、若干底上げをした平坦な便床部１１ｂが形成されるとともに、その外周部位に、載せたシーツの固定を行う部位である固定溝１１ｃが形成されている。  
なお、図６（ａ），（ｂ），（ｃ）は、トイレ本体１１のそれぞれ平面図、右側面図、正面図である。
【００４５】
固定溝１１ｃには、固定するシーツに抵抗を付与する複数の突条１２が略等分配されている。
【００４６】
トイレ本体１１の周壁１１ａにおける対向長辺部分の各長辺部分の中間位置には、幅方向Ｗの内側へ切り欠いた切欠き部１３を形成している。
【００４７】
切欠き部１３間には、トイレ本体１１の長辺方向Ｌにトイレ本体１１に対する押え枠３１の回動軸となる軸部１４を横架している。
【００４８】
軸部１４は、その長さ方向の略全体を占める円柱状の細軸部１４Ａと、細軸部１４Ａと比較して大径である大軸部１４Ｂを形成している。大軸部１４Ｂは、細軸部１４Ａの長さ方向の両端部、換言すると、切欠き部１３の長辺方向Ｌの両端部分との連結部分に形成している。
【００４９】
上記固定具２１は、ペット用トイレ１０を平面視したとき、上記切欠き部１３に相当する部分に備えている（図２参照）。  
固定具２１は、図３（ａ）、及び、図７に示すように、切欠き部１３に嵌め込み可能に切欠き部１３の長辺方向Ｌと略同じ長さで形成し、断面視すると基端部（図７（ｅ）中の上端部）から先端側（図７（ｅ）中の下端側）へトイレ本体１１、及び、押え枠３１の外周縁部の湾曲ラインと略同じ湾曲ラインで伸びる弧状に形成している。  
なお、図７（ａ），（ｂ），（ｃ），（ｄ），（ｅ）は、固定具２１の正面図、平面図、背面図、底面図、右側面図である。図７（ｆ），（ｇ）は、それぞれ図７（ｃ）のＡ−Ａ線端面図、Ｂ−Ｂ線端面図である。
【００５０】
固定具２１の基端部には、押え枠３１に枢着可能に上記長辺方向Ｌの両側から突出する枢着軸２２を形成するとともに、固定具２１の先端部には、押え枠３１側へ係合可能な係合部２３を形成している。
【００５１】
断面視弧状形状で形成した固定具２１の中途部分は、円弧状に外側へ突出し、該突出部分を、その内周部分により軸部１４を回動可能に受ける軸受け部２４として形成している。
【００５２】
固定具２１の上記枢着軸２２の軸周り部分２５は、４つの略平坦ライン２５ａ，２５ｂ，２５ｃ，２５ｄを有する多角形状の外周で構成される（図７（ｅ）参照）。
【００５３】
上記押え枠３１は、図８、及び、図９に示すように、トイレ本体１１の周壁１１ａに載置することができる長方形状の枠状に形成し、トイレ本体１１の周壁１１ａと連続する外周形状を構成する緩やかに湾曲した外周壁３１ａと、該外周壁３１ａの内周縁部には、下方へ傾斜した内周延設部３１ｂとを形成し、内周延設部３１ｂの下面によりシーツを押圧している。内周延設部３１ｂの内周縁部の下面には、下方へ向けて突状に垂下する押圧突起３２を形成している（図９中の一部拡大図参照）。  
なお、図８（ａ），（ｂ），（ｃ）は、押え枠３１のそれぞれ平面図、正面図、右側面図であり、図９は、押え枠３１の底面図である。
【００５４】
これら押圧突起３２と上記突条１２との間には、図３及び図４に示したようにシーツを挟み込む適宜の隙間が設けられる。
【００５５】
シーツは、図示しないが、トイレ本体１１に敷設し、押え枠３１及びカバー部４２とトイレ本体１１との間に挟み込んで取り付けることができる。
【００５６】
その際、シーツを押え枠３１の押圧突起３２とトイレ本体１１の突条１２とでシーツの端部をジグザグ形状に変形させた状態にすることにより位置ずれしないよう固定することができる。
【００５７】
また、押え枠３１の外周縁部におけるトイレ本体１１の切欠き部１３に相当する部分には、上端部から段状に降下した段差部３３と、該段差部３３の先端側からトイレ本体１１の切欠き部１３へ向けて下方へ垂下した固定具係合片３４を形成している（図４（ｂ）参照）。固定具係合片３４は、切欠き部１３においてトイレ本体１１の軸部１４と対向するよう上記長片方向に沿って形成している（図８（ｂ），（ｃ）参照）。
【００５８】
固定具係合片３４の下部には、固定具２１の係合部２３と係合可能な被係合部３５を形成している。
【００５９】
固定具係合片３４の軸部１４との対向部分には、上記軸部１４に向けて突出するリブ３６を形成している（図４（ｃ）、及び、図８（ａ），（ｃ）、図９の一部拡大図参照）。  
上記リブ３６は、固定具係合片３４の軸部１４との対向部分の両側部分に、上下方向に沿った突出形状で形成し、該対向部分に対して上記細軸部１４Ａに略接触する突出量で形成している（図４（ｃ）参照）。
【００６０】
段差部３３の上記長辺方向Ｌの両側には、固定具２１の枢軸を枢着可能に形成するとともに、該押え枠３１をトイレ本体１１の上方からセットしたとき、トイレ本体１１の大軸部１４Ｂと干渉する部分を段状に切り欠いた逃げ部３８Ａを形成している（図８（ｃ）の一部拡大図参照）。
【００６１】
押え枠３１におけるトイレ本体１１の大軸部１４Ｂとの対向部分、換言すると、固定具係合片３４の上記長辺方向Ｌの両端部の逃げ部３８Ａの近傍部分には、トイレ本体１１に対して押え枠３１が軸部１４を中心に回動するに伴って大軸部１４Ｂに支持されながら回動する支持部３８を形成している。
【００６２】
上記支持部３８は、その先端部分が上記大軸部１４Ｂの外周面に略接触するよう形成している。
【００６３】
上記押え網４１は、図１０に示すように、シーツと同様の長方形シート状で、シーツの表面に被さるカバー部４２と、カバー部４２を押え枠３１側に固定する押え枠取付け部４３とで形成している。押え網４１は、合成樹脂で形成しているが、金属など適宜の材料で形成してもよい。  
なお、図１０（ａ），（ｂ），（ｃ）は、押え網４１のそれぞれ平面図、右側面図、正面図であり、図１０（ｄ），（ｅ），（ｆ），（ｇ）は、図１０（ａ）のそれぞれＡ−Ａ線端面図、Ｂ−Ｂ線端面図、Ｃ−Ｃ線端面図、Ｄ−Ｄ線端面図である。
【００６４】
カバー部４２は、枠状の押え枠３１の内側（中央側）の空間部分に相当する平面視長方形状で形成し、底浅の底面部分全体を方形の目（上記隙間部４４）を有する網状に形成している。
【００６５】
詳しくは、網状のカバー部４２は、シーツの表面側へ尿が通過する大きさをした複数の隙間部４４を全体に有した格子状に形成している。  
上記カバー部４２を構成する複数の線状部４２ａは、複数本ごとにシーツを押圧可能に下方へ突状に形成している。
【００６６】
上記押え枠取付け部４３は、幅方向の中間部分から長辺方向Ｌの外側へ突片状に形成し、その幅方向Ｗの両側部分には、厚み方向に連通した平面視長方形状の係合孔４５が形成されている。
【００６７】
また、押え網４１を押え枠３１に取り付けたとき、係合孔４５と上下方向で対向する押え枠３１の対向部分には、上記係合孔４５へ差し込み可能な係合突出部３９を形成している（図９参照）。
【００６８】
係合孔４５の周縁部分と係合突出部３９との周縁部には、係合孔４５を係合突出部３９に差し込んだとき、互いに係合可能に突出した係合片３９ａ，４５ａをそれぞれ形成している。
【００６９】
上述したペット用トイレ１０が奏する作用、効果について説明する。  
上述したように、シーツを押える押え網４１を備え、上記押え枠３１の下側から上記押え網４１を取り外し可能に固定する係合突出部３９、及び、係合孔４５を上記押え枠３１の下側に形成しているため、押え網４１は、押え枠３１に対して取り外し自在であり、且つ、優れた一体性で取り付けることができる。
【００７０】
詳しくは、図１１（ａ），（ｂ）に示すように、押え網４１の押え枠取付け部４３に形成した係合孔４５に、押え枠３１の係合突出部３９を差し込むことにより、係合突出部３９の係合片３９ａと係合孔４５の周縁部の係合片４５ａとを係合させることができる。これにより、押え網４１を押え枠３１に対して取り外し可能に一体化することができる。
【００７１】
さらに、押え網４１側の係合片３９ａと押え枠３１側の係合片４５ａとの係合部２３分は、押え枠３１の下側部分、すなわち、押え枠３１の外周壁３１ａ、及び、内周延設部３１ｂにより上方から覆われた部分に構成している（図１１（ｂ）参照）。
【００７２】
これにより、押え網４１側の係合片４５ａと押え枠３１側の係合片３９ａとの係合部分にペットが爪で引っ掻くなどして直接、接触することを阻止し、互いの係合が不測に外れることを防ぐことができる。
【００７３】
よって、上記カバー部４２を、シーツの表面に広げられた状態に保つことができ、ペットがシーツを引っ掻いたり噛んだりしようとしても、カバー部４２それ自体がペットの爪や歯がシーツに当たるのを阻止することでシーツを保護することができる。
【００７４】
さらに、シーツを交換する際には、押え枠３１と押え網４１とをシーツから別々に着脱する必要がなく、押え枠３１をトイレ本体１１に対して回動させることにより、押え網４１も押え枠３１と一体に取り外すことができ（図１１（ｂ）の仮想線で示した押え枠３１、及び、押え網４１参照）、押え枠３１、及び、押え網４１をシーツに対して着脱することができ、シーツ交換をスムーズに行なうことができる。
【００７５】
さらにまた、押え網４１は、押え枠３１をトイレ本体１１に対して回動させてシーツから離間した状態で押え枠３１の下面（裏面）側から軽く引張るだけで容易に押え網４１側の係合片４５ａと押え枠３１側の係合片３９ａとの係合を外すことができる。
【００７６】
よって、押え網４１を押え枠３１から取り外した扱い易い状態で洗浄などをすることができる。
【００７７】
また、上述したように、上記固定具２１の上記枢着軸２２の軸周り部分２５を、４つの略平坦ライン（端辺部分）２５ａ，２５ｂ，２５ｃ，２５ｄを含む外周形状で形成している（図４（ｂ）参照）。
【００７８】
上記構成により、図１２（ａ）、及び、図１２（ａ）の一部拡大図に示すように、固定具２１の先端が下方に位置し、係合部２３が押え枠３１の被係合部３５に対して係合した状態では、段差部３３の平坦な水平面３３ｈと上記枢着軸２２の軸周り部分２５の平坦ライン２５ａとが面接触状態で接触するため、固定具２１が、がたつくことなく係合部２３と被係合部３５との係合状態をしっかりと保つことができる。
【００７９】
さらに、係合部２３と被係合部３５との係合を外し、固定具２１を時計周りに略４５度回動させたとき、図１２（ｂ）に示すように、段差部３３の平坦な水平面３３ｈと上記枢着軸２２の軸周り部分２５の平坦ライン２５ｂとが面接触状態で接触するとともに、段差部３３の平坦な垂直面３３ｖと上記枢着軸２２の軸周り部分２５の平坦ライン２５ｄとが面接触状態で接触する。
【００８０】
これにより、固定具２１を図１２（ｂ）に示す姿勢を保つよう位置決めすることができる。
【００８１】
さらに、固定具２１を図１２（ａ）に示した姿勢から図１２（ｃ）に示す姿勢となるように、固定具２１を時計周りに略９０度回動させたとき、段差部３３の平坦な水平面３３ｈと上記枢着軸２２の軸周り部分２５の平坦ライン２５ｃとが面接触状態で接触するとともに、段差部３３の平坦な垂直面３３ｖと上記枢着軸２２の軸周り部分２５のライン２５ｅとが面接触状態で接触する。
【００８２】
これにより、固定具２１を図１２（ｃ）に示す姿勢を保つよう位置決めすることができる。
【００８３】
さらに、固定具２１を図１２（ａ）に示した姿勢から図１２（ｄ）に示す姿勢となるように、固定具２１を時計周りに略１３５度回動させたとき、段差部３３の平坦な水平面３３ｈと上記枢着軸２２の軸周り部分２５の平坦ライン２５ｄとが面接触状態で接触する。
【００８４】
これにより、固定具２１を図１２（ｄ）に示すように枢動範囲の最大枢動角度まで回動させた回動姿勢で位置決めすることができる。
【００８５】
このように、固定具２１を段階的な任意の回動姿勢で位置決めすることができるため、押え枠３１のトイレ本体１１に対する回動、取り外し、或いは、軸部１４近傍の清掃などの作業を行なう際に固定具２１を所望の回動姿勢に位置決めしてスムーズにこれら作業を行うことができる。
【００８６】
また、ペット用トイレ１０は、上述したように、上記軸部１４を、上記軸受け部２４により受けられる細軸部１４Ａと、該細軸部１４Ａよりも大径である大軸部１４Ｂとで構成し、細軸部１４Ａの長さ方向の両端部に大軸部１４Ｂを形成している。
【００８７】
さらに、上記固定具係合片３４の上記長辺方向Ｌの両端側における上記大軸部１４Ｂとの対向部分に、上記トイレ本体１１に対して上記押え枠３１が上記軸部１４を中心に回動するに伴って上記大軸部１４Ｂに支持されながら回動する支持部３８を形成している（図４（ｄ）参照）。
【００８８】
これら構成により、上記押え枠３１を上記トイレ本体１１に対して回動させる際に、支持部３８は、大軸部１４Ｂに点接触状態で当接支持された状態で大軸部１４Ｂ回りを回動する。このため、上記固定具係合片３４の長辺方向Ｌ全体が細軸部１４Ａに当接する場合と比較して接触抵抗を低減でき、トイレ本体１１に対する上記押え枠３１のスムーズな回動を実現させることができる。
【００８９】
ところが、このような構成を単純に採用した場合、新たな課題が発生する。この課題について、大軸部１４Ｂと、該大軸部１４Ｂに支持される支持部３８とを備えた従来のペット用トイレ１００を例にとり、図１５を用いて説明する。  
なお、図１５（ａ１），（ａ２），（ａ３）は、いずれも図１３（ｃ）のＡ−Ａ線端面図に対応し、図１５（ｂ１），（ｂ２），（ｂ３）は、いずれも図１３（ｃ）のＢ−Ｂ線端面図に対応する。
【００９０】
図１５（ａ１），（ｂ１）に示すように、上記押え枠３１を上記トイレ本体１１に対して回動させていくと、その間、支持部３８は、大軸部１４Ｂに当接しながら押え枠３１を支持した状態となり、大軸部１４Ｂには、支持部３８を介して押え網４１も含めた押え枠３１の自重Ｆ１（重力）が加わることになる（図１５（ａ１）参照）。
【００９１】
図１５（ａ２），（ｂ２）に示すように、上記押え枠３１を上記トイレ本体１１に対して例えば、９０度以上回動させると、支持部３８は、上記押え枠３１の自重Ｆ１が加わる方向（鉛直方向）に対して大きく傾いた状態となり、該支持部３８が大軸部１４Ｂに傾いた状態で当接され、ダイレクトに押え枠３１を支持することが困難となる。
【００９２】
このため、図１５（ａ２）に示すように、押え枠３１の自重Ｆ１は、大軸部１４Ｂを、支持部３８を介して支持部３８近傍に構成される隙間Ａを通じて固定具係合片３４へ向けて開放された開放空間ｚへ押し出す方向の力Ｆ２として作用することになる。やがてこの力Ｆ２により、図１５（ａ３），（ｂ３）に示すように、係合部２３と被係合部３５との係合が不測に解除され、押え枠３１をトイレ本体１１に対して回動させる際に、押え枠３１がトイレ本体１１から取り外れてしまうという課題を有していた。
【００９３】
これに対して、本実施形態のペット用トイレ１０では、図１３（ｂ１）に示すように、固定具係合片３４には、リブ３６を、上記細軸部１４Ａとの間隔が、上記大軸部１４Ｂと上記支持部３８との間隔と同じになる突出量で上記細軸部１４Ａに向けて突出させて形成している。
【００９４】
換言すると、リブ３６は、図１３（ａ１）に示すように、大軸部１４Ｂと支持部３８とが略接触しているのと同様に、図１３（ｂ１）に示すように、細軸部１４Ａに対して略接触する突出量で突出させて形成している。
【００９５】
このため、図１３（ａ２）に示すように、上記押え枠３１を上記トイレ本体１１に対して回動させ、支持部３８が上記押え枠３１の自重Ｆ１が加わる方向（鉛直方向）に対して傾いた状態となっても、図１３（ｂ２），（ｂ３）に示すうに、リブ３６が細軸部１４Ａを当接支持する。
【００９６】
これにより、支持部３８のみが押え枠３１の自重Ｆ１を過度に受けることで大軸部１４Ｂを過度に押圧されることを阻止することができ、支持部３８が大軸部１４Ｂを支持する際に支持部３８近傍の隙間Ａを通じて軸部１４が開放空間ｚへ押し出されることを阻止することができる（図１３（ａ３）参照）。
【００９７】
すなわち、上記押え枠３１を上記トイレ本体１１に対して回動させる際に、係合部２３と被係合部３５との係合が解除され、トイレ本体１１に対して押え枠３１が外れてしまうことを阻止することができる。
【００９８】
よって、図１３に示すように、上記押え枠３１を上記トイレ本体１１に対してスムーズに安定して回動させることができ、シーツ交換を容易に行うことができる。
【００９９】
また、本発明のペット用トイは、上述した実施形態に限らず、他の実施形態で構成することができる。  
例えば、ペット用トイレ１０Ａは、図１４（ａ１），（ａ２）に示すように、上述したように大軸部１４Ｂに支持される支持部３８を有した構成を必須の構成とせずに構成することができる。
【０１００】
この構成の場合でも、図１４（ｂ１），（ｂ２）に示すように、上記固定具係合片３４における上記固定具２１との対向部分に、上記軸部１４に向けて突出するリブ３６を形成することが好ましい。
【０１０１】
この構成について詳述する前にペット用トイレの一般の実施形態を前提として説明する。図１６（ｂ１）に示すように、固定具２１を、ペット用トイレ１０の下部に有する上記押え枠３１の先端側を内側（図１６（ｂ１）中のＩ方向）へ湾曲させた形状とすることで、固定具２１の係合部２３と押え枠３１の被係合部３５とを、ペット用トイレ１０の外周縁部に対して幅方向Ｗの内側（Ｉ方向）へ入り込ませた部分において係合させている。
【０１０２】
これにより、ペット用トイレ１０の外周縁部の側方から加わる外力に対して不測に係合部２３と被係合部３５との係合が外れ難い構成を実現している。
【０１０３】
そして、これに伴って、係合部２３と被係合部３５とがしっかりと係合した状態を保つことができるよう、係合部２３と被係合部３５との係合位置にあわせて枢着軸２２も、図１６（ｂ１）に示すよう、ペット用トイレ１０の外周縁部に対して幅方向Ｗの内側（Ｉ方向）へ入り込んだ部分に構成している。
【０１０４】
しかし、上記軸受け部２４は、細軸部１４Ａに対して着脱可能に上記固定具係合片３４に向けて開放された半円弧状の軸受け形態で形成しているため、固定具２１と固定具係合片３４との間には、必然的に空間ｚが構成されることになる。
【０１０５】
従って、従来のペット用トイレ１００Ａの場合、図１６（ｂ２），（ｂ３）に示すように、上記押え枠３１をトイレ本体１１に対して回動させると、細軸部１４Ａは、軸受け部２４から離間し、固定具２１と固定具係合片３４との間に有する空間ｚへと不測に動くため、上記押え枠３１を回動させている間、細軸部１４Ａは、空間ｚ内でがたつくことになる。
【０１０６】
よって、上記押え枠３１をトイレ本体１１に対して上記軸部１４を回動中心として回動させようとしても、上記押え枠３１がガタつくため、安定したスムーズな回動を実現できない。
【０１０７】
これに対して、本発明における他の実施形態のペット用トイレ１０Ａでは、図１４（ｂ１）に示すように、上記固定具係合片３４における上記固定具２１との対向部分に、軸部１４Ａに向けて突出するリブ３６を形成することにより、軸部１４が軸受け部２４から離れないよう軸部１４を規制することができる。
【０１０８】
よって、図１４（ａ２），（ｂ２）に示すように、ペット用トイレ１０Ａは、支持部３８を有しない構成であっても、上記押え枠３１をトイレ本体１１に対して上記軸部１４を回動させる際に、軸部１４が軸受け部２４から離れることなく不測にガタつくことがなく、安定した回動を実現できる。
【０１０９】
上述した実施形態と、この発明の構成との対応において、段部３３の水平面３３ｈ、又は、段部３３の垂直面３３ｖは、軸周り受け部に対応するものとする。
【符号の説明】
【０１１０】
１０，１０Ａ…ペット用トイレ
１１…トイレ本体
２１…固定具
３１…押え枠
４１…押え網
１４…軸部
１４Ａ…細軸部
１４Ｂ…大軸部
２２…枢着軸
２３…係合部
２４…軸受け部
２５…軸周り部分
３４…固定具係合片
３５…被係合部
３６…リブ
３８…支持部
３９…係合突出部
３９ａ，４５ａ…係合片
４３…押え枠取付け部
４５…係合孔
【図１】
2011193879.tif 000003
【図２】
2011193879.tif 000004
【図３】
2011193879.tif 000005
【図４】
2011193879.tif 000006
【図５】
2011193879.tif 000007
【図６】
2011193879.tif 000008
【図７】
2011193879.tif 000009
【図８】
2011193879.tif 000010
【図９】
2011193879.tif 000011
【図１０】
2011193879.tif 000012
【図１１】
2011193879.tif 000013
【図１２】
2011193879.tif 000014
【図１３】
2011193879.tif 000015
【図１４】
2011193879.tif 000016
【図１５】
2011193879.tif 000017
【図１６】
2011193879.tif 000018